(57)【要約】【課題】放熱性がよく、軽量であり、しかも安価な光学ベースを備えた光ピックアップを提供すること。【解決手段】光ピックアップの光学ベース２０に、取付対象物に摺動する摺動部２１と、光学部品を搭載した部品搭載部２７と、レーザダイオード１を固定したレーザダイオード固定部２２と、ホトダイオード９を固定したホトダイオード固定部２５とを設ける。なお、摺動部及び部品搭載部は樹脂成形で作り、レーザダイオード固定部及びホトダイオード固定部は鉄板のプレス加工で作る。【選択図】　　　　図３
2004039043.tif 000002
【特許請求の範囲】
【請求項１】
取付対象物に対し移動可能に搭載される光ピックアップにおいて、光学ベースと、光学部品と、前記光学部品に光学的に接続されたレーザダイオードとを含み、前記光学ベースは、前記取付対象物に摺動する摺動部と、前記光学部品を搭載した部品搭載部と、前記レーザダイオードを固定したレーザダイオード固定部とを有し、前記摺動部及び前記部品搭載部は樹脂成形で作られ、前記レーザダイオード固定部は鉄板のプレス加工で作られていることを特徴とする光ピックアップ。
【請求項２】
前記樹脂は前記鉄板にアウトサート成形されたものである請求項１に記載の光ピックアップ。
【請求項３】
前記レーザーダイオードは前記レーザダイオード固定部に直接接触している請求項１又は２に記載の光ピックアップ。
【請求項４】
前記光学部品に光学的に接続されたホトダイオードをさらに含み、前記光学ベースは前記ホトダイオードを固定したホトダイオード固定部をさらに有し、前記ホトダイオード固定部は前記鉄板のプレス加工で作られている請求項１−３のいずれか一つに記載の光ピックアップ。
【請求項５】
前記光学部品は、回折格子、コリメートレンズ、及びレンズアクチュエータを含み、前記部品搭載部は、前記回折格子を保持した回折格子取付部と、前記コリメートレンズを保持したコリメートレンズ取付部と、前記レンズアクチュエータを搭載したアクチュエータ搭載部とを有する請求項１−４のいずれか一つに記載の光ピックアップ。
【請求項６】
請求項１−５のうちのいずれか一つに記載の光ピックアップを搭載した光ディスクドライブ。
【発明の詳細な説明】
【０００１】
【発明の属する技術分野】
本発明は、光ディスクドライブ等の取付対象物に移動可能に搭載される光ピックアップに関する。
【０００２】
【従来の技術】
最近では、パーソナルコンピュータ等の電子機器には光ディスクドライブが搭載されることが多い。光ディスクドライブに使用可能な記録媒体の１つとしてＣＤ−Ｒ（ｃｏｍｐａｃｔ　ｄｉｓｃ　ｒｅｃｏｒｄａｂｌｅ）及びＣＤ−ＲＷ（ｃｏｍｐａｃｔ　ｄｉｓｃ　ｒｅｗｒｉｔａｂｌｅ）が知られている。ＣＤ−Ｒは追記が繰り返し可能な記録媒体である。ＣＤ−ＲＷは書き換え可能な記録媒体である。これらの記録媒体はＣＤ−ＲＯＭやオーディオＣＤ（ＣＤ−ＤＡ）と互換性がある。ＣＤ−Ｒ、ＣＤ−ＲＷへの書込みには専用の装置と書込み用アプリケーションが必要であるが、ＣＤ−Ｒ、ＣＤ−ＲＷからの読出しは通常のＣＤ−ＲＯＭドライブで実行できる。ＣＤ−Ｒ、ＣＤ−ＲＷ、ＣＤ−ＲＯＭ、オーディオＣＤ、及びＤＶＤ−ＲＯＭ、ＤＶＤ−Ｒ，ＤＶＤ−ＲＡＭ等をここでは纏めて光ディスクと呼ぶ。
【０００３】
このような光ディスクにデータを記録したり再生したりするには、光ディスクドライブに対し移動可能に搭載される光ピックアップが使用される。その光ピックアップは、光ディスクドライブに設けたガイド棒に摺動可能に係合する摺動部を備えた光学ベースを含んでいる。光学ベースには、各種の光学部品と、レーザダイオードが搭載される。
【０００４】
【発明が解決しようとする課題】
光ディスクに対する高速記録を可能にした高速対応の光ピックアップが開発されている。この種の光ピックアップのための光学ベースには主に次の３つの特性が要求される。
【０００５】
まず初めに要求される特性は、放熱性が良いことである。これは、読み込み時のレーザダイオードの発熱に比べて、書き込み時のそれはとても大きく、光学ベースに十分は放熱対策をしないと、レーザダイオードの寿命や特性を劣化させてしまうからである。レーザダイオードの寿命や特性の劣化を避けるためには、レーザダイオードの温度上昇を防ぐ手段が一般的に取られる。この場合、光学ベースの材質は放熱性に優れている方がよく、樹脂よりも金属の方が適している。即ち、樹脂は高速対応の光ピックアップのための光学ベースにはほとんど使用された例がないことから、書き込み系には放熱性の面で不適当な材質であると言える。
【０００６】
次に要求される特性は、なるべく軽量であることである。これは、高速対応の光ピックアップには素早い移動が必要とされるので、光学ベースが軽量である方が良い。光学ベースに使用可能な材質を密度で比較すると、亜鉛がもっとも大きく、以下、樹脂、マグネシウムの順に小さくなる。
【０００７】
最後に要求される特性は、安価であることである。価格を比較すると、マグネシウムがもっとも高価で、以下、亜鉛、樹脂の順に安価になる。光学ベースを金属で作った場合には、上述した摺動部にガイド棒との摺動性を良くするための別部品である滑り部材を複数個組み付ける必要がある。一方、光学ベースを樹脂で作った場合には、それ自身が多少の摺動性を持っているため、別部品の滑り部材を組み付ける必要がなく、したがってコストメリットがある。
【０００８】
これらをまとめると、表１のようになる。
【０００９】
【表１】
2004039043.tif 000003
【００１０】
高速対応の記録用光ピックアップには、安価であっても放熱性の悪い樹脂製光学ベースは使用することができず、コスト重視なら重量を減らした亜鉛製光学ベースか、特性重視ならマグネシウム製光学ベースを使うことになる。
【００１１】
それ故に本発明の課題は、放熱性がよく、軽量であり、しかも安価な光学ベースを備えた光ピックアップを提供することにある。
【００１２】
【課題を解決するための手段】
本発明によれば、取付対象物に対し移動可能に搭載される光ピックアップにおいて、光学ベース（２０）と、光学部品と、前記光学部品に光学的に接続されたレーザダイオード（１）とを含み、前記光学ベースは、前記取付対象物に摺動する摺動部（２１）と、前記光学部品を搭載した部品搭載部（２７）と、前記レーザダイオードを固定したレーザダイオード固定部（２２）とを有し、前記摺動部及び前記部品搭載部は樹脂成形で作られ、前記レーザダイオード固定部は鉄板のプレス加工で作られていることを特徴とする光ピックアップが得られる。
【００１３】
前記樹脂は前記鉄板にアウトサート成形されたものであってもよい。
【００１４】
前記レーザーダイオードは前記レーザダイオード固定部に直接接触していてもよい。
【００１５】
前記光学部品に光学的に接続されたホトダイオード（１１）をさらに含み、前記光学ベースは前記ホトダイオードを固定したホトダイオード固定部（２５）をさらに有し、前記ホトダイオード固定部は前記鉄板のプレス加工で作られていてもよい。
【００１６】
前記光学部品は、回折格子（２）、コリメートレンズ（５）、及びレンズアクチュエータ（６、７）を含み、前記部品搭載部は、前記回折格子を保持した回折格子取付部（２３）と、前記コリメートレンズを保持したコリメートレンズ取付部（２４）と、前記レンズアクチュエータを搭載したアクチュエータ搭載部（２６）とを有してもよい。
【００１７】
また本発明によれば、上述の光ピックアップを搭載した光ディスクドライブが得られる。
【００１８】
上記括弧内の符号は、理解を容易にするために付したものであり、一例にすぎず、これらに限定されない。
【００１９】
【発明の実施の形態】
図１を参照して、光ピックアップの概要について説明する。
【００２０】
図示の光ピックアップは、パーソナルコンピュータ等の電子機器に搭載される光ディスクドライブに使用可能なものであり、レーザビームを発生する半導体レーザであるレーザダイオード１を発光素子として用いている。レーザダイオード１から発せられたレーザビームは回折格子２を介してビームスプリッタ３に入射し、ビームスプリッタ３により分岐され、一部はホトダイオードをもつモニタ装置４に入射する。レーザビームの他部はコリメートレンズ５、立ち上げミラー６、及び対物レンズ７を介して光ディスク８を照射する。モニタ装置４はレーザビームの強度を検出する。検出された強度は、レーザダイオード１の駆動の制御に使用される。こうして、レーザダイオード１から発せられたレーザビームを用いて光ディスク８にデータを記録できるようにしている。
【００２１】
また、光ディスク８からの反射光は、対物レンズ７、立ち上げミラー６、コリメートレンズ５、ビームスプリッタ３、及びセンサーレンズ９などを介して、受光素子としてのホトダイオード１１に入射する。こうして、レーザダイオード１から発せられたレーザビームを用い、ホトダイオード１１から出力される電気信号に基づき、光ディスク７のデータを再生できるようにしている。
【００２２】
レーザビームの経路に配置された回折格子２、ビームスプリッタ３、モニタ装置４、コリメートレンズ５、立ち上げミラー６、対物レンズ７、及びセンサーレンズ９を纏めて、ここでは光学部品と呼ぶ。これらの光学部品は、レーザダイオード１及びホトダイオード１１とともに、光ピックアップの装置筐体である光学ベースに保持される。なお、立ち上げミラー６及び対物レンズ７を合わせてレンズアクチュエータと呼ぶ。
【００２３】
図２〜図４をも参照して、光ピックアップの具体的な構造について説明する。
【００２４】
光学ベースを参照符号２０で示している。光学ベース２０は摺動部２１を有し、摺動部２１が取付対象物である光ディスクドライブのガイド棒（図示せず）に摺動することで光ディスクドライブに移動可能に搭載される。
【００２５】
図２に示すように、光学ベース２０はその上面２０ａに突設された、アーチ型のレーザダイオード固定部２２と、対の柱状部からなる回折格子取付部２３と、対の柱状部からなるコリメートレンズ取付部２４と、板状のホトダイオード固定部２５と、対の板状部からなるアクチュエータ搭載部２６とを備えている。回折格子取付部２３の一方の柱状部と、コリメートレンズ取付部２４の一方の柱状部とは一体化されている。即ち、回折格子取付部２３とコリメートレンズ取付部２４とに一つの柱状部が共用されている。
【００２６】
図３に示すように、レーザダイオード固定部２２にはレーザダイオード１が接触固定される。回折格子取付部２３には回折格子２が固定保持される。コリメートレンズ取付部２４にはコリメートレンズ５が固定保持される。ホトダイオード固定部２５にはホトダイオード１１が取り付けられる。アクチュエータ搭載部２６には、上述したレンズアクチュエータが搭載される。アクチュエータ搭載部２６の板状部は上端に、レンズアクチュエータのタンジェンシャルスキューを調整するためのＶ字形のくぼみ２６ａが形成されている。なお、アクチュエータ搭載部２６はビームスプリッタ３を固定する部分としても共用されている。
【００２７】
さらに、光学ベース２０の下面２０ｂを示す図４をも参照して説明を続ける。光学ベース２０は鉄板に樹脂をアウトサート成形したものである。具体的には、摺動性が必要な摺動部２１は樹脂成形により作られ、放熱性が必要なレーザダイオード固定部２２及びホトダイオード固定部２５は鉄板にプレス加工による折り曲げを施すことでで作られ、また複雑な形状を要求される部品搭載部２７は樹脂成形で作られている。
【００２８】
部品搭載部２７には、上述した回折格子取付部２３、コリメートレンズ取付部２４、及びアクチュエータ搭載部２６が一体に形成されている。また、センサーレンズ９は部品搭載部２７に固定保持されている。
【００２９】
レーザダイオード１は、取り付け前には図５に示すようにレーザダイオード固定部２２に対し隙間をもって離れているが、最終的には図６に示すようにレーザダイオード固定部２２に接触した状態で固定される。このように、レーザダイオード１が光学ベース２０の鉄板部分よりなるレーザダイオード固定部２２に直接接触しているので、レーザダイオード１から発生した熱はその接触部から鉄板全体に伝導してゆき、鉄板全体が放熱板の役目を果たす。したがって、放熱に関しては要求される特性を十分に得ることができる。
【００３０】
また、光学ベース２０の材質は重い鉄板と軽い樹脂との混合なので、少なくとも同形状の亜鉛製よりも軽くすることは簡単である。したがって、重量に関しても要求される特性を容易に得ることができる。
【００３１】
さらに、上述したようなアウトサート成形により製造する方が、亜鉛やマグネシウムのダイキャストにより製造するよりも製造費用自体が安い。その上、摺動部２１を樹脂にすることによって、金属ダイキャストでは必要な滑り部材がいらなくなる。したがって、大きなコストダウンが可能であり、安価に実施できる。
【００３２】
【発明の効果】
以上説明したように、本発明によれば、樹脂製では持ち得なかった十分な放熱性をもち、金属製のものよりも軽くて安価に製造し得る光学ベースを備えた光ピックアップを提供できる。
【図面の簡単な説明】
【図１】一般的な光ピックアップの概要を説明するための説明図である。
【図２】本発明の実施の形態に係る光ピックアップに含まれる光学ベースの上方から見た斜視図である。
【図３】図２の光学ベースにレーザダイオード及び光学部品を取り付けた状態の上方から見た斜視図である。
【図４】図２の光学ベースにレーザダイオード及び光学部品を取り付けた状態の下方から見た斜視図である。
【図５】図３に示す光学ベースとレーザダイオードとの固定前の状態を示す要部のみの斜視図である。
【図６】図３に示す光学ベースとレーザダイオードとの固定後の状態を示す要部のみの斜視図である。
【符号の説明】
１　レーザダイオード
２　回折格子
３　ビームスプリッタ
４　モニタ装置
５　コリメートレンズ
６　立ち上げミラー
７　対物レンズ
８　光ディスク
９　センサーレンズ
１１　ホトダイオード
２０　光学ベース
２０ａ　光学ベースの上面
２０ｂ　光学ベースの下面
２１　摺動部
２２　レーザダイオード固定部
２３　回折格子取付部
２４　コリメートレンズ取付部
２５　ホトダイオード固定部
２６　アクチュエータ搭載部
２７　部品搭載部
【図１】
2004039043.tif 000004
【図２】
2004039043.tif 000005
【図３】
2004039043.tif 000006
【図４】
2004039043.tif 000007
【図５】
2004039043.tif 000008
【図６】
2004039043.tif 000009